(57)【特許請求の範囲】
【請求項１】
患者向けの表現である第１表現を特定する特定情報と、医療従事者向けの表現である第２表現とを互いに対応付けて記憶する表現記憶手段と、
患者又は患者の代理人が操作する端末から、医療面接結果に係る情報として前記第１表現を特定する特定情報が入力されたとき、当該第１表現に対応する第２表現を前記表現記憶手段から抽出して医師向けの画面に表示させるために出力する表現変換手段と、を備え、
前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記表現変換手段は、前記第１の第１表現に対応する前記第１の第２表現と、前記第２の第１表現に対応する前記第２の第２表現を互いに対応付けて出力し、
前記表現変換手段により出力された前記第２表現を患者の識別情報と関連付けて記憶する情報記憶手段と、
前記情報記憶手段に記憶された前記第２表現の中から、前記患者の症状を表現する前記第１の第２表現と、その前記症状を補足する情報を表現する前記第２の第２表現を抽出し、所定のフォーマットで出力する出力手段と、を備え、
前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
前記出力手段は、
抽出された前記患者の症状を表現する前記第１の第２表現の少なくとも一つのデータを、前記所定のフォーマットに従い、前記第１のデータ項目の表示領域に出力し、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する、医療情報処理装置。
【請求項２】
複数の前記第１表現が時系列データに対応付けて入力されたとき、前記第２表現を前記時系列データに基づいて、時系列に並び替えて出力する編集手段をさらに備える請求項１に記載の医療情報処理装置。
【請求項３】
前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記出力手段は、前記情報記憶手段から、前記患者の前記第１のデータ項目に関連付けられている前記第２のデータ項目のデータを取得し、前記所定のフォーマットに従い、取得された前記データを、前記症状別表示領域の対応する前記第２のデータ項目の前記表示領域に埋め込み、前記患者の前記第１のデータ項目に関連する前記第２のデータ項目のうち、前記患者のデータのない前記第２のデータ項目については、その表示領域を非表示にした表示データを生成し、出力する、請求項１に記載の医療情報処理装置。
【請求項４】
前記出力手段は、
前記情報記憶手段から前記患者の症状に対応する前記第１のデータ項目のデータが複数取得されたとき、
前記第１のデータ項目のデータ毎に、前記第１のデータ項目のデータと、前記第１のデータ項目に関連する複数の第２のデータ項目の少なくとも１つのデータとを、前記所定のフォーマットに従い、前記症状別表示領域の各データ項目に対応する前記表示領域にそれぞれ埋め込み表示データを生成し、出力し、
複数の前記症状別表示領域を前記第１の方向または前記第２の方向に並べて表示する、請求項１または３に記載の医療情報処理装置。
【請求項５】
複数の前記第１表現が時系列データに対応付けて入力されたとき、前記第２表現を前記時系列データに基づいて、時系列に並び替えて出力する編集手段をさらに備え、
前記編集手段は、
複数の前記第２のデータ項目における、前記症状の発症の日時に関するデータ項目のデータに基づいて、複数の前記症状別表示領域を時系列に並び変えて出力する、請求項１から４いずれか一項に記載の医療情報処理装置。
【請求項６】
前記所定のフォーマットにおいて、
複数の前記第２のデータ項目における、前記症状の発症の日時に関するデータ項目の表示領域は、前記症状別表示領域内の前記第２の方向の前記始点となる前記第１のデータ項目の表示領域の位置よりも前の位置に指定されるとともに、前記字下げせずに前記第１のデータ項目と前記第１の方向の同じ位置に指定される、請求項１から５いずれか一項に記載の医療情報処理装置。
【請求項７】
前記所定のフォーマットにおいて、前記第１のデータ項目および前記第２のデータ項目の前記表示領域を、おのおのに非表示にする操作を受け付けるための削除ボタンが、前記第１のデータ項目および前記第２のデータ項目の前記表示領域に含まれる領域にそれぞれ配置され、
前記削除ボタンの前記操作を受け付けたとき、操作された前記削除ボタンに対応する前記第１のデータ項目または前記第２のデータ項目の前記表示領域を非表示にする、請求項１から６いずれか一項に記載の医療情報処理装置。
【請求項８】
前記所定のフォーマットにおいて、前記症状別表示領域に表示されるデータを編集する操作を受け付けるための編集受付ボタンが、前記第１のデータ項目の前記表示領域に対し、前記第１の方向に並ぶ領域に配置され、
前記編集受付ボタンの前記操作を受け付けたとき、前記第１のデータ項目または前記第２のデータ項目に表示されるデータの編集用の編集画面を表示する編集画面表示手段をさらに備える、請求項１から７いずれか一項に記載の医療情報処理装置。
【請求項９】
前記編集画面表示手段は、
前記編集画面を、前記所定のフォーマットに従い表示し、
前記情報記憶手段にデータがあるデータ項目については、そのデータを第１の表示形式で前記編集画面に表示し、
前記情報記憶手段にデータがないデータ項目については、前記第１の表示形式とは異なる第２の表示形式でそのデータ項目名を前記編集画面に表示する、請求項８に記載の医療情報処理装置。
【請求項１０】
前記第１の表示形式は、前記第２の表示形式より強調された表示形式である、請求項９に記載の医療情報処理装置。
【請求項１１】
前記編集画面において、
複数の前記第２のデータ項目の中から編集する項目の選択操作を受け付ける操作受付領域が、各前記第２のデータ項目の項目名またはデータの表示領域に設定され、
前記編集画面表示手段は、
前記編集画面の前記操作受付領域の前記選択操作を受け付けたとき、選択された前記第２のデータ項目のデータの編集操作を受け付けるためのテキスト入力欄を、前記第２のデータ項目の前記項目名の表示領域に並べて表示する、請求項９または１０に記載の医療情報処理装置。
【請求項１２】
前記編集画面表示手段は、
前記編集操作が確定されたとき、前記テキスト入力欄に入力されたデータを受け付け、対応する前記第２のデータ項目に対応付けて表示用データとして保持し、
前記出力手段は、
前記表示用データに基づいて、前記症状別表示領域内の表示内容を更新する、
請求項１１に記載の医療情報処理装置。
【請求項１３】
前記患者の症状を補足する情報を表現する前記第２の第２表現は、前記症状毎に、発症の日時、発症の状況、部位、性質、程度、持続時間、随伴症状、誘因、憎悪因子、緩解因子、および現在までの経過の少なくともいずれか１つの項目に関する情報を示す、請求項１から１２いずれか一項に記載の医療情報処理装置。
【請求項１４】
前記第２表現は、症状、既往歴、薬剤歴、社会歴、海外渡航歴、アレルギ情報の少なくとも１つの情報を示す請求項１から１３いずれか一項に記載の医療情報処理装置。
【請求項１５】
医療情報処理装置が、
患者向けの表現である第１表現を特定する特定情報と、医療従事者向けの表現である第２表現とを互いに対応付けて表現記憶装置に記憶し、
患者又は患者の代理人が操作する端末から、医療面接結果に係る情報として前記第１表現を特定する特定情報が入力されたとき、当該第１表現に対応する第２表現を前記表現記憶装置から抽出して医師向けの画面に表示させるために出力し、
前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記医療情報処理装置が、
前記第１の第１表現に対応する前記第１の第２表現と、前記第２の第１表現に対応する前記第２の第２表現を互いに対応付けて出力し、
出力された前記第２表現を患者の識別情報と関連付けて情報記憶装置に記憶し、
前記情報記憶装置に記憶された前記第２表現の中から、前記患者の症状を表現する前記第１の第２表現と、その前記症状を補足する情報を表現する前記第２の第２表現を抽出し、所定のフォーマットで出力し、
前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
前記医療情報処理装置が、
抽出された前記患者の症状を表現する前記第１の第２表現の少なくとも一つのデータを、前記所定のフォーマットに従い、前記第１のデータ項目の表示領域に出力し、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する情報処理方法。
【請求項１６】
コンピュータに、
患者向けの表現である第１表現を特定する特定情報と、医療従事者向けの表現である第２表現とを互いに対応付けて表現記憶装置に記憶する手順、
患者又は患者の代理人が操作する端末から、医療面接結果に係る情報として前記第１表現を特定する特定情報が入力されたとき、当該第１表現に対応する第２表現を前記表現記憶装置から抽出して医師向けの画面に表示させるために出力する手順を実行させ、
前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
さらに、コンピュータに、
前記第１の第１表現に対応する前記第１の第２表現と、前記第２の第１表現に対応する前記第２の第２表現を互いに対応付けて出力する手順、
出力された前記第２表現を患者の識別情報と関連付けて情報記憶装置に記憶する手順、
前記情報記憶装置に記憶された前記第２表現の中から、前記患者の症状を表現する前記第１の第２表現と、その前記症状を補足する情報を表現する前記第２の第２表現を抽出し、所定のフォーマットで出力する手順、を実行させ、
前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
さらに、前記コンピュータに、
抽出された前記患者の症状を表現する前記第１の第２表現の少なくとも一つのデータを、前記所定のフォーマットに従い、前記第１のデータ項目の表示領域に出力する手順、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する手順、を実行させるためのプログラム。
【発明の詳細な説明】
【技術分野】
【０００１】
本発明は、医療情報処理装置、その情報処理方法、およびプログラムに関し、特に、医療面接情報を管理および利用する医療情報処理装置、その情報処理方法、およびプログラムに関する。
【背景技術】
【０００２】
医療面接支援システムの一例が特許文献１に記載されている。特許文献１の医療面接支援システムは、患者が入力した問診票の申告内容に基づいて行う医療面接を支援するものである。患者は、タブレット端末を操作して問診票の入力を行うことができる。入力された問診情報は、サーバ装置に送信され、患者番号に紐付けられて登録される。診察室端末は、患者の問診情報に基づいて、医療面接の支援情報を表示する。面接支援情報としては、たとえば、診療時の注意事項と、追加問診情報が含まれる。追加問診情報は、医療面接において、患者からヒアリングすべき事項や具体的な質問事項が含まれる。追加問診情報は、診察室端末の画面上に順序立てて掲載され、さらに、問診すべき事項毎に、詳細な解説情報も表示させて閲覧できる。
【先行技術文献】
【特許文献】
【０００３】
【特許文献１】特開２０１５−１８７６号公報
【発明の概要】
【発明が解決しようとする課題】
【０００４】
しかしながら、上述した医療面接支援システムは、従来の形式のまま、タブレット端末で患者等が入力する形態で問診を行い、その結果を元に、医師に患者との医療面接のノウハウを提示することで、医療面接が滞りなく行えるように支援する。このシステムで得られる問診情報は、患者により入力された内容を示す情報であり、医療面接によって得られた面接結果情報を体系的に蓄積することは想定されていない。すなわち、上述のシステムで得られる問診情報は、体系化されておらず、同じ意味の申告であっても、患者の表現手法に依存して異なるデータとなる。たとえば、同じ問診結果であったとしても、患者毎に、「おなかが痛い」、「腹が痛む」、「腹痛」、「胃のあたりがキリキリする」等、異なるデータとして問診情報が得られることになる。
医師は、患者との医療面接の結果を医学的な用語に置き換えてＳ（Subjective）記事として記録するが、上記特許文献記載の技術では、問診情報をさらに医学的な用語に医師が置き換えなければならないため、効率が悪く、また、表現は医師毎に個人差がありバラツキが出てしまうといった問題点があった。
【０００５】
本発明は上記事情に鑑みてなされたものであり、その目的とするところは、医療面接で得られた結果情報を医師向けの統一された表現に精度よく変換し、効率よく出力する医療情報処理装置、その情報処理方法、およびプログラムを提供することにある。
【課題を解決するための手段】
【０００６】
本発明の各側面では、上述した課題を解決するために、それぞれ以下の構成を採用する。
【０００７】
第一の側面は、医療情報処理装置に関する。
第一の側面に係る医療情報処理装置は、
患者向けの表現である第１表現を特定する特定情報と、医療従事者向けの表現である第２表現とを互いに対応付けて記憶する表現記憶手段と、
患者又は患者の代理人が操作する端末から、医療面接結果に係る情報として前記第１表現を特定する特定情報が入力されたとき、当該第１表現に対応する第２表現を前記表現記憶手段から抽出して医師向けの画面に表示させるために出力する表現変換手段と、を有し、
前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記表現変換手段は、前記第１の第１表現に対応する前記第１の第２表現と、前記第２の第１表現に対応する前記第２の第２表現を互いに対応付けて出力し、
前記表現変換手段により出力された前記第２表現を患者の識別情報と関連付けて記憶する情報記憶手段と、
前記情報記憶手段に記憶された前記第２表現の中から、前記患者の症状を表現する前記第１の第２表現と、その前記症状を補足する情報を表現する前記第２の第２表現を抽出し、所定のフォーマットで出力する出力手段と、を有し、
前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
前記出力手段は、
抽出された前記患者の症状を表現する前記第１の第２表現の少なくとも一つのデータを、前記所定のフォーマットに従い、前記第１のデータ項目の表示領域に出力し、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する。
【０００８】
第二の側面は、少なくとも１つのコンピュータにより実行される情報処理方法に関する。
第二の側面に係る情報処理方法は、
患者向けの表現である第１表現を特定する特定情報と、医療従事者向けの表現である第２表現とを互いに対応付けて表現記憶装置に記憶し、
患者又は患者の代理人が操作する端末から、医療面接結果に係る情報として前記第１表現を特定する特定情報が入力されたとき、当該第１表現に対応する第２表現を前記表現記憶装置から抽出して医師向けの画面に表示させるために出力し、
前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記医療情報処理装置が、
前記第１の第１表現に対応する前記第１の第２表現と、前記第２の第１表現に対応する前記第２の第２表現を互いに対応付けて出力し、
出力された前記第２表現を患者の識別情報と関連付けて情報記憶装置に記憶し、
前記情報記憶装置に記憶された前記第２表現の中から、前記患者の症状を表現する前記第１の第２表現と、その前記症状を補足する情報を表現する前記第２の第２表現を抽出し、所定のフォーマットで出力し、
前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
前記医療情報処理装置が、
抽出された前記患者の症状を表現する前記第１の第２表現の少なくとも一つのデータを、前記所定のフォーマットに従い、前記第１のデータ項目の表示領域に出力し、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する、ことを含む。
【０００９】
なお、本発明の他の側面としては、上記第二の側面の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
このコンピュータプログラムは、コンピュータにより実行されたとき、コンピュータに、医療情報処理装置上で、その情報処理方法を実施させるコンピュータプログラムコードを含む。
【００１０】
なお、以上の構成要素の任意の組合せ、本発明の表現を方法、装置、システム、記録媒体、コンピュータプログラムなどの間で変換したものもまた、本発明の態様として有効である。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１２】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。
【００１３】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１４】
上記各側面によれば、医療面接で得られた結果情報を医師向けの統一された表現に精度よく変換し、効率よく出力する医療情報処理装置、その情報処理方法、およびプログラムを提供することができる。
【図面の簡単な説明】
【００１５】
【図１】本発明の実施の形態に係る医療情報処理装置の構成を論理的に示す機能ブロック図である。
【図２】本発明の実施の形態に係る医療情報処理装置の医師向けの操作画面の一例を示す図である。
【図３】本発明の実施の形態に係る医療情報処理装置を含む医療システムのシステム構成を概念的に示す図である。
【図４】本実施形態の医療情報処理装置を含む医療システムが患者に提示する医療面接画面の一例を示す図である。
【図５】図４の医療面接画面における医療面接の質問に対する患者ユーザの回答の一例を示す。
【図６】本実施形態の医療情報処理装置の各データの関連を説明するための図である。
【図７】本実施形態の医療情報処理装置の対応テーブルの構造の一部の例を示す図である。
【図８】本実施形態の医療情報処理装置の問診結果データから生成される医療用語データの一例を示す図である。
【図９】本実施形態の医療情報処理装置における医療用語データと記事用語データの対応関係を示す図である。
【図１０】本実施形態の医療情報処理装置がＳ記事を自動作成する際に使用するテンプレートの一例を示す。
【図１１】本実施形態の医療情報処理装置がＳ記事のテンプレートを用いてＳ記事データを生成する方法を説明するための図である。
【図１２】図１の本実施形態の医療情報処理装置を実現するコンピュータの構成例を示すブロック図である。
【図１３】本実施形態の医療情報処理装置の動作の一例を示すフローチャートである。
【図１４】本実施形態の医療情報処理装置を利用した場合と、利用しない場合のＳ記事生成手順を比較するための図である。
【図１５】本発明の実施の形態に係る医療情報処理装置の論理的な構成を示す機能ブロック図である。
【図１６】本実施形態の医療情報処理装置によりＳ記事データを時系列に並び替えた出力例を示す図である。
【図１７】本実施形態の医療情報処理装置において、現病歴に医師が追記を行うのに使用するエディタ画面の一例を示す図である。
【図１８】本実施形態の医療情報処理装置において、Ｓ記事データの印刷イメージを示すプレビュー画面の一例を示す図である。
【図１９】一般的な問診票の一例を示す図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
（第１の実施の形態）
本発明の第１の実施の形態に係る医療情報処理装置、その情報処理方法およびプログラムについて、以下説明する。
図１は、本発明の実施の形態に係る医療情報処理装置１００の構成を論理的に示す機能ブロック図である。
本発明の実施の形態に係る医療情報処理装置１００は、患者向けの表現である第１表現を特定する特定情報と、医療従事者向けの表現である第２表現とを互いに対応付けて記憶する表現記憶部１０２と、第１表現を特定する特定情報が入力されたとき、当該第１表現に対応する第２表現を抽出して出力する表現変換部１０４とを備える。
【００１８】
一般的に、患者は診察前に図１９のような問診票に症状などを記入する。問診票では、図１９に示すように、質問内容は、大まかで、選択肢も少ないことが多い。問診票が、診察前に医師が必要とする最低限の情報を得るために用いられていることが多いからである。近年、インフォームドコンセント等を代表とする医師と患者の間の双方向のコミュニケーションが重視されるようになった。医師と患者が良好な人間関係を築くことを主目的として、両者が対等な関係でコミュニケーションできるようになることが望まれており、「問診」の代わりに「医療面接」と表現されるようになってきている。
【００１９】
本発明の医療情報処理装置は、医療面接により患者から得られた医療面接結果情報を体系的に蓄積して効率よく活用するものである。本発明の医療情報処理装置は、蓄積された医療面接結果情報に基づいて、必要な情報を医師が利用しやすい形態で効率よく出力できる。たとえば、本発明では、表現変換部１０４が、患者向けの第１表現を第２表現に変換して出力することで、医師が患者との医療面接後や診察後に作成するＳ（Subjective）記事を自動的に作成することができる。
【００２０】
図２は、本発明の実施の形態に係る医療情報処理装置１００の医師向けの操作画面の一例を示す図である。
画面１２０は、医師が医療面接結果情報（以下、「問診結果データ」とも呼ぶ）からＳ記事を作成するときに医師が利用するエディタ画面の例である。
Ｓ記事とは、患者の医療面接の結果を医学的な用語に置き換えて記録するものである。Ｓ記事は、患者が最も訴えた症状を示す主訴と、その他の症状とその経過を示す現病歴の情報を含む。
画面１２０は、患者の情報を示す患者情報表示部１３０と、患者が医療面接サービスを利用して入力した医療面接結果情報を示す問診データ表示部１４０と、Ｓ記事エディタ部１５０と、を含む。
【００２１】
患者情報表示部１３０は、受診した病院名、担当医師名、患者の診察券番号、患者氏名、生年月日、性別、年齢等を含む患者の情報を表示する。
問診データ表示部１４０は、患者が入力した医療面接の結果を示す情報を表示する。この例では、患者が選んだ気になる症状と、各症状について、質問と、質問に対して患者が選択した回答が表示されている。図２からも分かるように、問診データ表示部１４０に表示される問診結果データは、患者向けの表現である第１表現で示されている。
ここでは、★印が、患者ユーザが最も気になっている症状であると回答したことを示している。この例では、患者ユーザは、★印の「むくみがある」を、最も気になっている症状として選択し、その他、「吐き気がする・吐いた」と、「下痢」を気になる症状として選択している。
【００２２】
Ｓ記事エディタ部１５０には、問診データ表示部１４０に表示されている患者向けの第１表現が、医療従事者向けの第２表現に変換されて、所定の書式で表示される。Ｓ記事エディタ部１５０は、主訴症状表示部１５２と、現病歴症状情報表示部１５４と、を含む。問診結果データの中には、後述するように、既往歴、家族歴等の情報も含まれる場合があるが、これらは、図２に示す例のＳ記事には、含まれない。なお、本実施形態では、医療面接結果情報からＳ記事を生成する構成について説明しているが、本発明の医療情報処理装置１００が、医療面接結果情報から生成する記事はこれに限定されない。たとえば、紹介状、返書、サマリ等の生成にも適用できる。
【００２３】
図２の例では、患者が訴えた３つの症状について、現病歴として現病歴症状情報表示部１５４ａ、１５４ｂ、１５４ｃにそれぞれ記載されている。現病歴症状情報表示部１５４ａ、１５４ｂ、１５４ｃは、特に区別する必要がない場合は、現病歴症状情報表示部１５４と示す。後述するが、問診データ表示部１４０では患者向けの第１表現１１２で示されているが、Ｓ記事エディタ部１５０では、医師向けの第２表現１１４に変換されているのが分かる。たとえば、「むくみがある」は、「浮腫」に変換されている。
【００２４】
また、主訴症状表示部１５２は、患者が最も訴えた症状として、問診データ表示部１４０で★印が付いている「むくみがある」が主訴として表示されている。本実施形態では、主訴については、第１表現１１２から第２表現１１４への変換は行わず、患者の表現として患者が選択した第１表現１１２そのものが主訴として表示する構成としている。他の例では、主訴についても第１表現１１２から第２表現１１４に変換してもよい。
【００２５】
図３は、本発明の実施の形態に係る医療情報処理装置１００を含む医療システム１のシステム構成を概念的に示す図である。
医療システム１は、サーバ装置１０と、サーバ装置１０に接続されるデータベース（図中、「ＤＢ（DataBase）」と示す）２０と、患者ユーザが利用するユーザ端末３０（図３の例では、スマートフォン３０ａと、パーソナルコンピュータ３０ｂを含む。特に、区別する必要がない場合は、ユーザ端末３０と示す。）と、を備える。
本実施形態の医療情報処理装置１００は、図３のサーバ装置１０に含まれてよい。
【００２６】
ユーザ端末３０は、患者ユーザに対し、あたかも医師が対面して医療面接を実施しているような対話形式で、質問と質問に対する回答を患者ユーザに提示して選択させる医療面接サービスを提供するのに利用される。
ユーザ端末３０を用いて、患者ユーザが入力した医療面接結果を示す情報は、ネットワーク３を介してサーバ装置１０に送信され、サーバ装置１０が医療面接結果情報としてデータベース２０に蓄積する。
このように、本明細書では、「医療面接」は、医師と直接対面してコミュニケーションすることを意味するだけでなく、ユーザ端末３０を利用して患者から診察前等に情報を取得することも意味する。
【００２７】
本明細書において、患者ユーザとは、医療機関において診察を受ける患者本人、または患者の代理人を指す。
ユーザ端末３０は、たとえば、スマートフォン、タブレット端末、パーソナルコンピュータ、携帯電話機、ＰＤＡ（Personal Digital Assistants）などであり、特に限定されない。また、ユーザ端末３０は、ユーザの所有物であってもよいし、医療機関に設置されているもの、または、ユーザに貸与されるものであってもよい。
【００２８】
サーバ装置１０とユーザ端末３０間は、有線および無線の少なくともいずれか一方で接続することができる。接続手段は特に限定されるものではなく、ユーザ端末３０の種類や、ユーザ端末３０を利用する場所等に応じて、様々な形態が考えられる。また、図３は、ユーザ端末３０の台数や種類を限定するものではない。
【００２９】
たとえば、ユーザ端末３０がスマートフォンやタブレット端末の場合、ＬＴＥ（Long Term Evolution）、ＷｉＭＡＸ（Worldwide Interoperability for Microwave Access）等の公衆回線網（不図示）を介してネットワーク３に接続してサーバ装置１０と通信してもよいし、無線ＬＡＮ（Local Area Network）で所定のアクセスポイント（不図示）にアクセスし、ネットワーク３に接続してサーバ装置１０と通信してもよい。
【００３０】
本実施形態では、ユーザ端末３０がサーバ装置１０と通信した状態で、医療面接サービスをオンラインで利用する形態について説明するが、オフラインでの利用形態も排除されない。たとえば、ユーザ端末３０上で患者ユーザが入力した情報を、記録媒体（たとえば、ＵＳＢ（Universal Serial Bus）メモリ等）を経由して、病院の受け付け等に設けられたリーダ装置を用いて読み込み、サーバ装置１０に受け渡す形態も考えられる。さらに、ブルートゥースや赤外線通信等の近距離無線通信を利用して入力した情報をユーザ端末３０から病院の受け付け等に設けられた受信装置に送信し、サーバ装置１０に転送する形態も考えられる。
【００３１】
具体的には、患者ユーザは、ユーザ端末３０を用いて、ネットワーク３に接続し、サーバ装置１０、もしくは、ウェブサーバ（不図示）にアクセスして、医療面接サービスを利用する。
【００３２】
ユーザ端末３０を用いた医療面接サービスの利用形態は、様々考えられる。たとえば、ユーザ端末３０が、ブラウザ経由で所定のＵＲＬ（Uniform Resource Locator）にアクセスして、ウェブサイト上で、医療面接サービスを利用してもよい。あるいは、ユーザ端末３０は、医療面接サービスを利用するためのアプリケーションをユーザ端末３０にインストールして、アプリケーションを実行して医療面接サービスを利用してもよい。
【００３３】
たとえば、医療面接サービスの利用に際しては、患者ユーザとシステム側で、事前にユーザ登録などの手続きが行われる。また、ユーザ端末３０とサーバ装置１０との間の通信は、セキュリティが確保された状態で行われることが望ましい。本実施形態において、医療面接サービスは、患者ユーザがユーザ端末３０を用いて、医療機関に来る前に自宅や外出先で利用することもできるし、医療機関で診察前等に待合室等で利用することもできる。
【００３４】
図４は、本実施形態の医療情報処理装置１００を含む医療システムが患者に提示する医療面接画面の一例を示す図である。
患者ユーザが来院した時に、ユーザ端末３０を用いて医療面接サービスを利用する。そして、気になっている症状を選択すると、選択された症状について、少なくとも１つの質問１６２と、各質問１６２に対する回答の選択肢１６４が図４の医療面接画面１６０のように表示される。この例では、患者は「むくみがある」という症状を気になる症状の一つとして選択している。
医療面接画面１６０において、患者ユーザは各質問１６２に対する選択肢１６４の中から当てはまるものを選択する。医療面接の質問文と回答の選択肢文は、患者向けの表現である第１表現で示されている。
【００３５】
また、図４のように、選択肢１６４にはチェックボックス１６６がそれぞれ設けられていて、患者ユーザは該当する選択肢１６４のチェックボックス１６６にチェックを入れて回答を選択することができる。患者ユーザの選択操作を受け付けるＧＵＩ（Graphical User Interface）は、チェックボックスに限定されず、たとえば、ラジオボタン、リスト、操作ボタン、ホイール状のピッカー等、様々なＧＵＩであってよい。
【００３６】
本実施形態では、図４の症状に関する質問の前に、患者ユーザの氏名、生年月日、および性別の入力を受け付け、患者ユーザの生年月日と性別に基づいて、患者ユーザに提示する質問文と、質問文に対する選択肢文を選択する。患者向けの第１表現には、同一内容に対する異なる表現が準備されている。
たとえば、患者が成人で本人が回答する場合と、患者が子どもで保護者や家族等が本人の代わりに回答する場合で、質問と選択肢の表現が異なる。また、たとえば、女性専用の質問が存在し、男性には対応する質問がない場合があり得る。
【００３７】
図５は、図４の医療面接画面１６０における医療面接の質問に対する患者ユーザの回答の一例を示す。
患者ユーザが回答した結果は、医療面接結果情報として、患者ユーザを特定する情報、たとえば、患者の識別情報（または診察券番号）に少なくとも紐付けられてデータベース２０に記憶される。また、患者の識別情報は、患者の氏名、生年月日、性別等の情報と少なくとも紐付けられる。
また、医療面接結果情報は、医療面接を行った日時情報、患者が受診した病院、受診科、担当医師等の情報と紐付けられてもよい。
【００３８】
図６から図１０は、本発明の実施の形態に係る医療情報処理装置１００のデータ構造を説明するための図である。
第１表現１１２は、患者の症状を表現する第１の第１表現（問診データ１７２）と、患者の症状を補足する情報を表現する第２の第１表現（問診データ１７２）を含む。第２表現１１４は、患者の症状を表現する第１の第２表現（記事用語データ１７５のheader）と、患者の症状を補足する情報を表現する第２の第２表現（記事用語データ１７５のbody）を含む。
表現変換部１０４は、第１の第１表現（問診データ１７２）に対応する第１の第２表現（記事用語データ１７５のheader）と、第２の第１表現（問診データ１７２）に対応する第２の第２表現（記事用語データ１７５のbody）を互いに対応付けて出力する。
【００３９】
本実施形態において、患者の症状を補足する情報を表現する前記第２の第２表現は、症状毎に、発症の日時、発症の状況、部位、性質、程度、持続時間、随伴症状、誘因、憎悪因子、緩解因子、および現在までの経過の少なくともいずれか１つの項目に関する情報を示す。
【００４０】
図６は、本実施形態の医療情報処理装置１００の各データの関連を説明するための図である。
本実施形態において、表現記憶部１０２は、第１対応テーブル１７０と、第２対応テーブル１７９と、Ｓ記事構造を示すテンプレート１７６を含む。
図７は、本実施形態の医療情報処理装置１００の第１対応テーブル１７０の構造の一部の例を示す図である。
第１対応テーブル１７０には、図７に示すように、第１表現１１２で示される、患者への質問を示す質問文と、各質問に対する回答を示す選択肢文が関連付けられた問診データ１７２と、各問診データ１７２の各選択肢に紐付けられる医療用語データ１７４とが対応付けて記憶される。
【００４１】
本実施形態において、問診データ１７２と、医療用語データ１７４は、それぞれ文字列データである。医療情報処理装置１００を実現するプログラムにおいては、問診データ１７２、医療用語データ１７４は、それぞれ文字列データに一意の識別用のコードを付与し、第１対応テーブル１７０は、問診データ１７２のコードと医療用語データ１７４のコードを紐付けて記憶してもよい。この場合、各データの識別用のコードが特定情報１１０となる。
特定情報１１０は、第１表現１１２を特定し、第１表現１１２に紐付く第２表現１１４を取得できるものであれば特に限定されない。本実施形態では、医療システム１の医療面接サービスで得られる医療面接結果情報１８０の問診結果データ１８２から生成される医療用語データ１８４が特定情報１１０に相当する。そして、第２表現１１４は、医療用語データ１８４そのものでもよいし、本実施形態のように第２対応テーブル１７９を用いて記事用語データ１８５に変換されたものであってもよい。
本実施形態において、表現変換部１０４に入力される第１表現１１２を特定する特定情報１１０とは、たとえば、患者の医療面接結果情報１８０の医療用語データ１８４である。
【００４２】
医療用語データ１７４は、ヘッダ（header）と、ボディ（Body）と、タイプ（Type）とを含む。医療用語データ１７４は、第１表現１１２（問診データ１７２）を特定する特定情報１１０としての機能と、医療従事者向けの第２表現１１４で表現される少なくとも１組のヘッダとボディを含む。医療用語データ１７４のヘッダとボディは、ペアで保持され、所謂、キーバリュー形式のデータである。医療用語データ１７４のタイプは、第１表現１１２（問診データ１７２）を第２表現１１４で表現される、Ｓ記事を生成するためのテンプレート１７６に関連付けるのに使用される。詳細については後述する。
第１表現１１２（問診データ１７２）には、第１表現１１２を特定するための特定情報１１０（医療用語データ１７４）がそれぞれ紐付けられている。１つの第１表現１１２（問診データ１７２）に対して、複数の特定情報１１０（医療用語データ１７４）が紐付けられてもよい。
【００４３】
医療用語データ１７４のヘッダは、患者の症状等を示す医療用語そのものにより表現される。医療用語データ１７４のヘッダは、医者等の医療従事者により用いられる医療専門用語であり、症状、既往歴、薬剤歴、社会歴、海外渡航歴、およびアレルギ情報の少なくとも一つを示す用語を含む。
医療用語データ１７４のボディは、ヘッダが示す患者の症状に関する補足情報を示す用語により表現される。補足情報とは、たとえば、症状の有無、症状の程度、症状が発症した日時、症状の部位、症状の持続時間、症状の性質、症状が発症した状況、症状の誘因等に関する情報を示す用語を含む。
【００４４】
医療用語データ１７４のタイプは、医療用語データ１７４が示す情報が、たとえば、症状（symptom）、既往歴（pastHistory）、薬剤歴（medicineHistory）、社会歴（socialHistory）、家族歴（familyHistory）、海外渡航歴（travelHistory）、アレルギ情報（allergia）、症状の有無（symptom）、症状の程度（intensity）、症状が発症した日時（dataOfOnset）、症状の部位（location）、症状の持続時間（duration）、症状の性質（quality）、症状が発症した状況（modeOfOnset）、症状の誘因（factor）、現在までの経過（course）、その他（other）等のいずれの情報を示すデータなのかを示す。
【００４５】
後述する表現変換部１０４による第１表現１１２から第２表現１１４への変換において、テンプレート１７６により、医療用語データ１７４のタイプを用いて、Ｓ記事の出力フォーマットの指定等を行うことができる。テンプレート１７６については、後述する。
【００４６】
たとえば、図７に示すように、第１表現１１２である問診データ１７２は、質問文の「いつからむくみがありましたか？」という表現と、回答の選択肢文の「１週間以内」、「１ヶ月以内」、「１ヶ月以上前から」という表現を含む。
【００４７】
本実施形態では、問診データ１７２（第１表現１１２）の質問文「むくみの場所は？」に対する回答「両手、もしくは全身」には、特定情報１１０である医療用語データ１７４の「浮腫」＋「両手・全身」が第２表現１１４として対応付けられる。
図７に示すように、問診データ１７２（第１表現１１２）の「特にない」には、医療用語データ１７４（特定情報１１０）は紐付けられていない。これは、問診データ１７２（第１表現１１２）の「特にない」は、医療用語データ１７４（第２表現１１４）が紐付けられないので、Ｓ記事作成時にも利用されない。このように、本実施形態では、特定不要な第１表現１１２には第２表現１１４を紐付けなくてもよい。他の例では、「特にない」ことを示す医療用語データ１７４（たとえば、「特記事項（header）」＋「なし（Body）」）を紐付けてもよい。
【００４８】
図６の医療面接結果情報１８０は、患者が医療面接を受けた結果に関する情報であり、問診結果データ１８２と、医療用語データ１８４を含む。医療面接結果情報１８０は、患者毎、かつ、問診毎（たとえば、問診日、病院、診療科の少なくともいずれか１つ毎）に作成される。
本実施形態において、問診結果データ１８２は、第１表現１１２であり、医療用語データ１８４は、医療従事者向けの第２表現１１４で表現される少なくとも１組のヘッダとボディを含む。医療用語データ１８４は医療用語データ１７４と同じ構造を有している。
【００４９】
図８は、ある患者の医療面接結果を示す問診結果データ１８２の一部と、問診結果データ１８２が得られた場合に、第１対応テーブル１７０を元に取得される医療用語データ１８４の例を示している。
医療面接結果情報１８０では、医療用語データ１８４は、少なくとも患者ＩＤと問診日時の情報に紐付けられている。
【００５０】
患者が訴えた症状の「むくみがある」について、各質問に対する患者の回答の情報を示す問診結果データ１８２から、複数の医療用語データ１８４が取得され、医療面接結果情報１８０として記憶される。具体的には、図７の第１対応テーブル１７０が参照され、図８の問診結果データ１８２（たとえば、「むくみの場所は、両足もしくは全身」）に対応する問診データ１７２が抽出され、問診データ１７２に紐付けられている医療用語データ１７４（浮腫、両足・全身、location）が抽出され、医療用語データ１８４として取得される。
このようにして、問診結果データ１８２に対応して複数の医療用語データ１８４が取得される。
【００５１】
図９は、本実施形態の医療情報処理装置１００における第１表現１１２（問診データ１７２）の特定情報１１０（医療用語データ）と第２表現１１４（医療用語データ、記事用語データ）の対応関係を示す第２対応テーブル１７９の一部の例を示す図である。
第１表現１１２（問診データ１７２）の特定情報１１０である医療用語データ１７４には、第２表現１１４で表現される記事用語データ１７５がそれぞれ対応付けられている。
記事用語データ１７５も、医療用語データ１７４と同様なデータ構造（キーバリュー形式）を有し、ヘッダ（header）と、ボディ（Body）と、タイプ（Type）とを含む。後述するように、記事用語データ１７５は、データ毎に複製することができるが、キーバリュー形式のデータ構造を保持したまま複製される。
【００５２】
たとえば、図２の現病歴症状情報表示部１５４の異なる症状にデータが複製された場合には、ヘッダの症状が複製先の内容に書き換えられる。たとえば、現病歴症状情報表示部１５４ｂの「悪心・嘔吐」の症状の「２時間前」というデータが、現病歴症状情報表示部１５４ｃの「下痢」の症状に複製された場合、複製先のデータのボディは、「悪心・嘔吐」から「下痢」に書き換えられる。
【００５３】
図９に示すように、各医療用語データ１７４には、少なくとも１つの記事用語データ１７５が対応付けられている。あるいは、Ｓ記事に含める必要がない医療用語データ１７４には対応する記事用語データ１７５を対応付けない場合があってもよい。たとえば、後述するように、図１１の医療用語データ１７４の既往歴１８６は、Ｓ記事には記載されないので、記事用語データ１７５は対応付けられない。
【００５４】
記事用語データ１７５は、全ての医療用語データ１７４に対応するデータが対応付けて記憶されている。
図８に示すように、問診結果データ１８２から医療用語データ１８４が生成された時、図９の第２対応テーブル１７９を参照し、対応する医療用語データ１７４に対応する記事用語データ１８５を取得する。
図９の例では、たとえば、「悪心・嘔吐、あり」の医療用語データ１７４には、２つの記事用語データ１７５が対応付けられている。
また、「悪心・嘔吐、１日に数回以内吐く」の医療用語データ１７４には、記事用語データ１７５（「悪心・嘔吐、嘔吐−＞１日に数回以内」）が対応付けられている。
【００５５】
なお、本実施形態では、第２対応テーブル１７９を用いて、医療用語データ１８４を記事用語データ１８５に変換する構成としているが、医療用語データ１８４を変換せずに、医療用語データ１８４をそのまま使用してＳ記事データ１９０を生成してもよい。その場合は、第２対応テーブル１７９は不要となる。また、後述するテンプレート１７６では、記事用語データ１８５の出力位置ではなく、医療用語データ１８４の出力位置が指定されることとなる。
【００５６】
図１０に、本実施形態の医療情報処理装置１００が第２表現１１４でＳ記事を自動作成する際に使用するテンプレート１７６の一例を示す。
Ｓ記事の生成では、医療従事者の作業を効率よくするため視認性や操作性の高い情報を表示することが医療情報処理装置等に求められる。
図１０の本実施形態のＳ記事の構造を示すテンプレート１７６は、主訴を出力する領域と、現病歴を出力する領域を含んでいる。各領域には、主訴と、現病歴の情報のうち、Ｓ記事として、どの情報をどの位置に出力するかが指定される。
ここで、主訴とは、現在、患者が最も気になると訴えた症状であり、現病歴とは、その主訴がいつから、どのように始まり、どのような経過をたどってきたのかを示すものである。
以下の症状別表示領域（現病歴症状情報表示部１５４ａ、ｂ、ｃ）の書式が、図１０の現病歴の領域の書式に相当する。
【００５７】
本実施形態において、所定のフォーマット（テンプレート１７６）には、患者の症状を表現する第１の第２表現（ヘッダ）のデータを表示する第１のデータ項目の表示領域８２と、第１のデータ項目に関連付けられる、症状を補足する情報を表現する複数の第２の第２表現（ボディ）のデータをそれぞれ表示する複数の第２のデータ項目の表示領域８３（８１）と、のおのおのの表示位置が、患者の症状毎に表示される症状別表示領域（１５４ａ、ｂ、ｃ）の書式として指定されている。
所定のフォーマット（テンプレート１７６）の各症状別表示領域（現病歴症状情報表示部１５４ａ、ｂ、ｃ）において、第１のデータ項目および第２のデータ項目の各データは、各表示領域（８１、８２、８３）に第１の方向（たとえば、横書き、左から右横方向）に表示される。
複数の第２のデータ項目の表示領域８３の位置は、第１のデータ項目の表示領域８２の位置に対してそれぞれ第１の方向（たとえば、左から右横方向）に同じ所定の幅で字下げして、第１のデータ項目の表示領域８２を始点として、第１の方向とは異なる（直交する）第２の方向（上から下への縦方向）に所定の順序で並んで表示されるように指定される。
【００５８】
患者が気になると訴えた症状が、図５の例のように、「むくみがある」、「吐き気がする・吐いた」、「下痢」の３つの場合、症状毎に、テンプレート１７６の現病歴のフォーマットに従い、現病歴症状情報表示部１５４ａ、ｂ、ｃが表示されることになる。
【００５９】
本実施形態では、複数の第２のデータ項目として、発症の日時、症状、発症の状況、部位、症状の性質、症状の程度、症状の持続時間、随伴症状、誘因、増悪因子、緩解因子、現在までの経過、およびその他を含む、患者が気になると訴えた症状を補足する情報の各データ項目の表示領域の出力位置がテンプレート１７６に含まれている。
【００６０】
図１０の例では、上記のデータ項目のうち、発症の日時に関する情報のデータ項目については、他のデータ項目と表示領域の表示位置が異なっている。
テンプレート１７６において、複数の第２のデータ項目における、症状の発症の日時に関するデータ項目の表示領域８１は、症状別表示領域内の第２の方向（上から下への縦方向）の始点となる第１のデータ項目の表示領域８２の位置よりも前の位置（上に）に指定されるとともに、字下げせずに第１のデータ項目と第１の方向（横方向）の同じ位置（頭揃え）に指定される。
後述するように、テンプレート１７６では、各データ項目の表示領域の位置に出力する医療用語データ１８４のデータ項目をタイプ（たとえば、symptom, dataOfOnset, intensity等）で指定する。
【００６１】
本実施形態では、患者が気になると訴えた症状を補足する情報の各第２のデータ項目のうち、発症の日時以外の第２のデータ項目の表示領域８３と、患者が気になると訴えた症状の表示領域８２との間には、予めインデント８４が設定される。これにより、患者が気になると訴えた症状の表示領域８２と、発症の日時以外の第２のデータ項目の表示領域８３とは、所定の幅で第１の方向（右横方向）にずれて表示される。また、補足情報の各第２のデータ項目のインデント８４は同じ幅に設定されるのが好ましく、各第２のデータ項目のデータは、同じ出力位置に頭揃えで出力されるのが好ましい。このような構成により、症状とその症状の補足情報を見た目で区別しやすく、分かりやすいユーザインタフェースが提供できる。また、本実施形態では、発症の日時に関する補足情報については、他の補足情報と区別して、各症状の情報の中で一番上に表示される。これは、医療従事者にとり、患者の症状の時間の経過に伴う変化は、診断において、重要な情報であるためである。すなわち、この構成によれば、医療従事者が、症状の時間経過に伴う変化を容易に認識できるという効果がある。
【００６２】
出力部は、情報記憶部（データベース２０）から患者の症状に対応する第１のデータ項目のデータが複数取得されたとき、第１のデータ項目のデータ毎に、第１のデータ項目のデータと、第１のデータ項目に関連する複数の第２のデータ項目の少なくとも１つのデータとを、所定のフォーマット（テンプレート１７６）に従い、症状別表示領域（図２の現病歴症状情報表示部１５４ａ、ｂ、ｃ）の各データ項目に対応する表示領域にそれぞれ埋め込み表示データを生成し、出力する。
複数の症状別表示領域（現病歴症状情報表示部１５４ａ、ｂ、ｃ）を第１の方向（横）または第２の方向（縦）に並べて表示する。図２の例では、現病歴症状情報表示部１５４ａ、ｂ、ｃは、縦に並んで表示されている。
【００６３】
さらに、テンプレート１７６には、問診参照ボタン８５と、追記ボタン８６との位置指定の情報も含まれている。問診参照ボタン８５とは、テンプレート１７６を用いて出力されるＳ記事編集時に、当該問診結果データ１８２を参照表示させる指示を受け付けるためのＧＵＩである。追記ボタン８６は、後述するように、図２の画面１２０のＳ記事エディタ部１５０において編集操作を行う指示を受け付けるためのＧＵＩである。
また、現病歴の情報については、症状毎に同じテンプレート１７６が使用される。
【００６４】
テンプレート１７６で示すように、問診参照ボタン８５を症状の表示領域８２の近傍、たとえば、左右上下の隣側、または同じ行（高さ）で表示することで、問診参照ボタン８５がどの症状と関連付けられているか、解りやすく表示することができる。また、問診結果データ１８２を参照表示させる際、問診結果データ１８２の中で、当該症状に対応する箇所を抽出して表示させることで、医療従事者が必要な情報を簡単に解りやすく表示できる。たとえば、Ｓ記事の症状の行と略同じ高さの行に、問診結果データ１８２の対応する箇所を吹き出し等の表示領域を出現させて表示できる。この略同じ高さとは、厳密に同じ高さの行でなくともよく、半行〜数行程度ずれていてもよい。さらに、Ｓ記事エディタ部１５０で問診参照ボタン８５を操作したとき、図２の画面１２０左の問診データ表示部１４０の対応する箇所を強調表示してもよい。
【００６５】
図１１は、本実施形態のＳ記事のテンプレート１７６を用いてＳ記事データ１９０を生成する方法を説明するための図である。
本実施形態において、表現変換部１０４により出力された第２表現１１４（記事用語データ１８５）を患者の識別情報と関連付けて記憶する情報記憶部（データベース２０）と、情報記憶部（データベース２０）に記憶された第２表現１１４（記事用語データ１８５）の中から、患者の症状を表現する第１の第２表現（記事用語データ１８５のheader）と、その症状を補足する情報を表現する第２の第２表現（記事用語データ１８５のbody）を抽出し、所定のフォーマット（テンプレート１７６）で出力する出力部（Ｓ記事エディタ部１５０）と、を備える。
【００６６】
本実施形態において、第２表現１１４（記事用語データ１７５（１８５））は、症状、既往歴、薬剤歴、社会歴、海外渡航歴、アレルギ情報の少なくとも１つの情報を示す。
【００６７】
出力部は、抽出された患者の症状を表現する第１の第２表現の少なくとも一つのデータを、所定のフォーマット（テンプレート１７６）に従い、第１のデータ項目の表示領域８２に出力する。さらに、患者の症状を補足する情報を表現する第２の第２表現の少なくとも一つのデータを、所定のフォーマット（テンプレート１７６）に従い、対応する第２のデータ項目の表示領域８３にそれぞれ埋め込み表示データを生成し、出力する。
【００６８】
出力部は、本実施形態のＳ記事のテンプレート１７６に従い、医療面接結果情報１８０を読み出して、第２対応テーブル１７９を参照し、Ｓ記事の所定の位置に医療用語データ１８４に紐付けられる図９の記事用語データ１８５に変換されたデータを挿入してＳ記事データ１９０を生成する。各医療用語データ１８４から変換された複数の記事用語データ１８５は、患者識別情報および医療面接日時（または記事作成日時）の情報と紐付けてＳ記事データ１９０としてデータベース２０に記憶される。Ｓ記事データ１９０は、記事用語データ１８５と、テンプレート１７６とを紐付けたデータ群として記憶されてもよいし、Ｓ記事データ１９０には記事用語データ１８５群のみを記憶し、Ｓ記事エディタ部１５０に表示する際にテンプレート１７６を参照して、記事用語データ１８５を配置してもよい。
【００６９】
図１１では、たとえば、テンプレート１７６（図１０）の発症の日時の指定欄に対応するＳ記事データ１９０の発症の日時の出力位置１９２には、タイプがdateOfOnsetの医療用語データ１８４（２週間前）が医療面接結果情報１８０から読み出され、変換された記事用語データ１８５のボディのデータが出力される。
また、テンプレート１７６（図１０）の症状の指定欄に対応するＳ記事データ１９０の症状の出力位置１９３に出力されるデータは次のように処理される。まず、タイプがsymptomの医療用語データ１８４（悪心・嘔吐、あり）が医療面接結果情報１８０から読み出される。このとき、本実施形態では、医療用語データ１８４（悪心・嘔吐、あり）が２つの記事用語データ１８５に変換されて、各記事用語データ１８５のボディの「悪心」と「嘔吐」が、Ｓ記事データ１９０の症状の出力位置１９３に出力される。
この例のように、第１の第２表現（患者の症状）として２つ以上のデータがある場合は、第１方向（横方向）に並べて表示される。
【００７０】
Ｓ記事データ１９０の現病歴の２行目の症状の出力位置１９３には、気になる症状として患者が選択したもの、医療面接結果情報１８０の１行目の医療用語データ１８４（悪心・嘔吐、あり）が読み出されるが、医療面接結果情報１８０の３レコード目にもタイプがsymptomの医療用語データ１８４（下痢、あり）がある。こちらは、医療面接結果情報１８０の１行目の症状「悪心・嘔吐」の中の質問文に対する選択肢から選択された症状であるので、「悪心・嘔吐」に随伴して起こっている症状、すなわち、随伴症状となり、図９のように記事用語データ１８５に変換されて、そのボディの「下痢あり」が、その出力位置１９４に出力される。
【００７１】
さらに、Ｓ記事データ１９０の現病歴の症状の程度の出力位置１９５には、医療面接結果情報１８０の４行目の医療用語データ１８４から、タイプがintensityのものが読み出されて出力される。このとき、医療用語データ１８４に基づいて、記事用語データ１８５に変換され、そのボディの「嘔吐−＞１日に数回以内」が出力される。
【００７２】
発症の状況（modeOfOnset）、部位（location）、症状の性質（quality）、症状の持続時間（duration）、誘因（factor）、増悪因子、緩解因子、現在までの経過、その他等のデータ項目は、この例では医療面接結果情報１８０に対応する医療用語データ１８４が含まれていないので、出力部により抽出されず、出力位置に出力されない。図２に示すように、対応する医療用語データ１８４がない場合のデータ項目は、Ｓ記事エディタ部１５０には表示されない。
【００７３】
出力部は、情報記憶部（データベース２０）から、患者の第１のデータ項目に関連付けられている第２のデータ項目のデータを取得し、所定のフォーマット（テンプレート１７６）に従い、取得されたデータを、症状別表示領域（現病歴症状情報表示部１５４）の対応する第２のデータ項目の表示領域に埋め込み、患者の第１のデータ項目に関連する第２のデータ項目のうち、患者のデータのない第２のデータ項目ついては、その表示領域を非表示にした表示データを生成し、出力する。
【００７４】
本実施形態では、医療面接結果情報１８０（医療用語データ１８４）に第２のデータ項目のデータが存在するか否かは、データのタイプを参照して判定できる。存在するタイプに対応する第２データ項目のデータは表示され、存在しないタイプに対応する第２のデータ項目は、表示領域が非表示になる。
このように、本実施形態のＳ記事エディタ部１５０に表示される現病歴症状情報表示部１５４には、患者の各症状の補足情報のデータ項目うち、医療面接結果情報１８０に情報が存在しないデータ項目（または後述するように非表示設定された項目）は、表示されないので、必要な情報だけを分かりやすく表示することができる。
【００７５】
図１２は、図３のサーバ装置１０、すなわち、図１の医療情報処理装置１００を実現するコンピュータ６０の構成例を示すブロック図である。
コンピュータ６０は、ＣＰＵ（Central Processing Unit）６２、メモリ６４、メモリ６４にロードされた図１の構成要素を実現するプログラム７０、そのプログラム７０を格納するハードディスクなどのストレージ６６、ネットワーク接続用インタフェース（Ｉ／Ｏ（Input/Output）６８）を備える。メモリ６４、ストレージ６６、およびＩ／Ｏ６８は、バス６９を介して互いに接続され、ＣＰＵ６２により各要素とともにコンピュータ６０全体が制御される。
【００７６】
図１の本実施形態の医療情報処理装置１００の各構成要素は、図１２のコンピュータ６０のハードウェアとソフトウェアの任意の組合せによって実現される。そして、その実現方法、装置にはいろいろな変形例があることは、当業者には理解されるところである。以下説明する各実施形態の医療情報処理装置を示す機能ブロック図は、ハードウェア単位の構成ではなく、論理的な機能単位のブロックを示している。なお、以下の各図において、本発明の本質に関わらない部分の構成については省略してあり、図示されていない。図１２のコンピュータ６０のＣＰＵ６２が、ストレージ６６に記憶されるプログラム７０をメモリ６４に読み出して実行することにより、医療情報処理装置１００の図１の各ユニットの各機能を実現することができる。
【００７７】
医療情報処理装置１００は、１つのコンピュータ６０によって実現されてもよいし、複数のコンピュータ６０の組み合わせにより実現されてもよい。
【００７８】
図３のデータベース２０は、上述した医療面接サービスにより取得された医療面接結果情報を含む、様々な医療情報を蓄積する。
また、図１の医療情報処理装置１００の表現記憶部１０２は、医療情報処理装置１００の内部の記憶装置（たとえば、図１２のメモリ６４またはストレージ６６等）でもよいし、医療情報処理装置１００がアクセス可能な外部の記憶装置（たとえば、図３のデータベース２０）であってもよい。
【００７９】
また、図３のユーザ端末３０は、任意のコンピュータ（不図示）のハードウェアとソフトウェアの任意の組合せによって実現される。コンピュータは、図示されない、ＣＰＵ、メモリ、メモリにロードされたアプリケーションを含むプログラム、そのプログラムを格納するハードディスクなどの記憶ユニット、ネットワーク接続用インタフェースを備える。
【００８０】
本実施形態のコンピュータプログラム７０は、図１の医療情報処理装置１００を実現させるためのコンピュータ６０に、患者向けの表現である第１表現を特定する特定情報と、医療従事者向けの表現である第２表現とを互いに対応付けて表現記憶装置に記憶する手順、第１表現を特定する特定情報が入力されたとき、当該第１表現に対応する第２表現を抽出して出力する手順、を実行させるように記述されている。
【００８１】
本実施形態のコンピュータプログラム７０は、コンピュータ６０で読み取り可能な記録媒体に記録されてもよい。記録媒体は特に限定されず、様々な形態のものが考えられる。また、プログラム７０は、記録媒体からコンピュータ６０のメモリ６４にロードされてもよいし、ネットワークを通じてコンピュータ６０にダウンロードされ、メモリ６４にロードされてもよい。
【００８２】
コンピュータプログラム７０を記録する記録媒体は、非一時的な有形のコンピュータ６０が使用可能な媒体を含み、その媒体に、コンピュータ６０が読み取り可能なプログラムコードが埋め込まれる。
コンピュータプログラム７０が、コンピュータ６０上で実行されたとき、コンピュータ６０に、医療情報処理装置１００を実現する以下のデータ処理方法を実行させる。
【００８３】
上述のような構成において、本実施の形態の医療情報処理装置１００による情報処理方法を以下に説明する。
図１３は、本実施形態の医療情報処理装置１００の動作の一例を示すフローチャートである。
本発明の実施の形態に係る情報処理方法は、医療情報処理装置１００の情報処理方法であり、医療情報処理装置１００を実現するコンピュータ６０により実行される情報処理方法である。
本実施形態の情報処理方法は、医療情報処理装置１００が、患者向けの表現である第１表現を特定する特定情報と、医療従事者向けの表現である第２表現とを互いに対応付けて表現記憶部１０２に記憶し、第１表現を特定する特定情報が入力されたとき、当該第１表現に対応する第２表現を抽出して出力する（ステップＳ１０５）ことを含む。
【００８４】
より詳細には、まず、図示されない入力画面で、患者ＩＤの入力を受け付けると（ステップＳ１０１のＹＥＳ）、表現変換部１０４が、表現記憶部１０２にアクセスし、医療面接結果情報１８０から患者ＩＤに対応する情報を取得する。さらに、表現変換部１０４は、患者ＩＤに対応する情報から、第１表現１１２の特定情報１１０（医療用語データ１８４）を取得する（ステップＳ１０３）。
たとえば、図１１の例では、医療面接結果情報１８０の医療用語データ１８４（第１表現１１２の特定情報１１０）が読み出されている。
そして、表現変換部１０４は、取得した第１表現１１２の特定情報１１０（医療用語データ１８４）に対応する第２表現１１４（記事用語データ１８５）を出力する（ステップＳ１０５）。
【００８５】
図１１の例では、上述したように、テンプレート１７６で指定された各記事用語データ１８５の出力位置に、医療面接結果情報１８０の医療用語データ１８４のタイプに基づいて、対応する医療用語データ１８４が読み出される。そして第２対応テーブル１７９に基づいて、医療用語データ１８４が記事用語データ１８５に変換される。そして、テンプレート１７６に基づいて、各出力位置に記事用語データ１８５が出力されている。このようにしてＳ記事データ１９０が生成される。
その結果、図２の画面１２０のように、Ｓ記事エディタ部１５０にＳ記事データ１９０が表示される。
そして、Ｓ記事エディタ部１５０の保存ボタン１５６がユーザにより押下されると、Ｓ記事データ１９０がデータベース２０に記憶される。
【００８６】
図１４は、本実施形態の医療情報処理装置１００を利用した場合と、利用しない場合のＳ記事生成手順を比較するための図である。
図１４（ａ）は、医療情報処理装置１００を利用しない場合の手順であり、図１４（ｂ）は、医療情報処理装置１００を利用した場合の手順である。
本実施形態の医療情報処理装置１００を利用しない場合、図１４（ａ）に示すように、患者はまず来院して受け付けをした後（ステップＳ１）、問診票（用紙）に記入をする（ステップＳ２）。そして、医師が診察を開始し（ステップＳ３）、患者が記入した問診票を参照する。このとき、問診票は参考程度に利用し、実際に必要な情報は問診で聞き取りを行う（ステップＳ４）。ここでは、医師間での問診内容には統一性がなく、問診によって得られる情報の情報量や内容には医師によって個人差が生じる。つまり、医師が質問せず、患者も訴えなければ得られない情報が存在する。
【００８７】
そして、医師は、問診で聞き取りながら、整理しつつ診察録（Ｓ記事）を紙に記載する（ステップＳ５）。ここでも、医師間での記録内容には統一性がなく、記録される情報は医師によって情報量や内容に個人差が生じる。その後、医師はカルテの記入整理、検査指示、処方のオーダ等を行い（不図示）、診察を終了する。そして、患者は、会計を済ませて（ステップＳ６）、帰宅する。
【００８８】
一方、医療情報処理装置１００を利用する場合は、図１４（ｂ）に示すように、患者は来院して受け付けをした後（ステップＳ１１）、ユーザ端末３０等を用いて医療面接システムの質問に対する回答を入力する（ステップＳ１２）。このとき、医療面接システムは、対話形式で予め準備されている質問と回答の選択肢が患者に提示されるので、有用な情報を的確に収集できる。あるいは、患者は、来院前に、ユーザ端末３０を用いて所定のウェブサイトにアクセスし、医療面接サービスを利用して、医療面接の質問に対する回答を入力してもよい。患者が入力した情報は、問診結果データとしてデータベース２０等に格納される。
【００８９】
そして、医師が診察を開始し（ステップＳ１３）、医療面接システムで入力された問診結果データを参照して問診を行う（ステップＳ１４）。医療面接システムで得られた問診結果データなので、漏れがなく、有用な情報を元に診察を行うことができる。また、用語も統一されたものとなる。
【００９０】
そして、患者が入力した問診結果データが、医師の記録として適正な形式で整理されて、図２に示したようなＳ記事エディタ部１５０に展開表示される。医師は、後述する実施形態で説明するように、Ｓ記事エディタ部１５０の画面上で、Ｓ記事に対して編集作業を行うことができる（ステップＳ１６）。Ｓ記事は、過不足のない的確な内容と、統一された用語や表現で作成される。また、医師が一から作成するのではなく、追記、編集するだけでよいので効率もよい。
そして、このようにして作成されたＳ記事は、データベース２０等に蓄積される（ステップＳ１７）。その後、医師はカルテの記入整理、検査指示、処方のオーダ等を行い（不図示）、診察を終了する。そして、患者は、会計を済ませて（ステップＳ１８）、帰宅する。
【００９１】
本実施形態では、表現変換部１０４により問診結果データ１８２から自動的に変換されてＳ記事データ１９０が生成されるので、Ｓ記事（第２表現１１４）の作成者（医師）による個人差がなく、均一なＳ記事データ１９０が生成できる。また、予めテンプレート１７６でＳ記事に必要なデータを指定しているので、記入漏れがなく、精度のよいＳ記事データ１９０が生成できる。
【００９２】
このように、医療情報処理装置１００を利用しない場合に比較して、医療情報処理装置１００を利用した場合の方が、適切な統一された用語と表現で、漏れなく均一な内容でＳ記事に情報が記載され、効率よくＳ記事を生成し、蓄積することができる。
【００９３】
以上説明したように、本発明の実施の形態に係る医療情報処理装置１００によれば、医療面接で得られた結果情報を医師向けの統一された表現に精度よく変換し、効率よく出力することができる。
【００９４】
（第２の実施の形態）
図１５は、本発明の第２の実施の形態に係る医療情報処理装置２００の論理的な構成を示す機能ブロック図である。
本実施形態の医療情報処理装置２００は、上記実施形態の医療情報処理装置１００とは、第２表現を時系列データに基づいて、時系列に並び替えて出力する構成を有する点で相違する。
図１５の本実施形態の医療情報処理装置２００は、図１の上記実施形態の医療情報処理装置１００と同様な表現記憶部１０２と、表現変換部１０４とを有するとともに、さらに、編集部２０２を備える。
【００９５】
編集部２０２は、複数の第１表現１１２が時系列データに対応付けて入力されたとき、第２表現１１４を時系列データに基づいて、時系列に並び替えて出力する。
【００９６】
第１表現１１２は、患者の各症状について、その発症の日時に関する情報が取得できるように構成されるのが好ましい。本実施形態では、図７に示すように、症状の発症の日時に関する情報が取得できるように、「いつからむくみがありましたか？」等のような質問と、発症の日時を示す回答が問診データ１７２には含まれている。そして、問診データ１７２に紐付けられる医療用語データ１７４は、発症の日時の情報を示すボディ（たとえば、「１週間以内」等）と、タイプに発症の日時（dateOfOnset）が含まれる。
このように各症状について、発症の日時に関する情報を取得することで、複数の第１表現１１２は、時系列データに対応付けて入力される。
【００９７】
図１６は、本実施形態の医療情報処理装置２００により第２表現１１４（Ｓ記事データ１９０）を時系列に並び替えた出力例を示す図である。
本実施形態において、編集部２０２は、医療面接結果情報１８０を参照し、患者ユーザの編集中の医療面接に対応する医療用語データ１８４を取得し、各症状の日時、すなわち、タイプが「dateOfOnset」の医療用語データ１８４を抽出する。または、医療用語データ１８４から変換された記事用語データ１８５から抽出してもよい。
【００９８】
そして、編集部２０２は、複数の第２のデータ項目における、症状の発症の日時に関するデータ項目のデータ（タイプが「dateOfOnset」のデータ）に基づいて、複数の症状別表示領域（現病歴症状情報表示部１５４ａ、ｂ、ｃ）を時系列に並び変えて出力する。
上述したように、発症の日時に関するデータ項目は、各現病歴症状情報表示部１５４の最上位に表示されるとともに、さらに、各現病歴症状情報表示部１５４が、時系列に並び変えて出力されるので、患者の症状の時間経過の変化が認識されやすく、医療従事者の理解が容易になる医療システム１が提供できる。
【００９９】
図２では、現病歴症状情報表示部１５４の表示順が、「浮腫（１週間以内）」（１５４ａ）、「悪心、嘔吐（２週間前）」（１５４ｂ）、「下痢（1日以内）」（１５４ｃ）であったのが、図１６では、時系列でソートされ、「悪心、嘔吐（２週間前）」（１５４ｂ）、「浮腫（１週間以内）」（１５４ａ）、「下痢（1日以内）」（１５４ｃ）と変更されている。
【０１００】
時系列データのソートは、Ｓ記事エディタ部１５０に情報が表示される時に自動的に実行されてもよいし、オペレータの指示を受け付ける操作ボタンやメニュー等に対する操作を受け付けた場合等に実行されてもよい。
時系列データのソートは、Ｓ記事では、より以前の症状から経過順に表示されるようになっているが、逆順に表示できてもよい。さらに、ユーザ操作により昇順、降順を選択できる構成を有してもよい。
【０１０１】
また、本実施形態の医療情報処理装置１００では、Ｓ記事エディタ部１５０に表示される各項目データを、ユーザ操作により編集することができる。ここで、項目データとは、たとえば、図１６の符号２１０で示される「２週間前」、「悪心」、「嘔吐」、「嘔吐−＞１日に数回以内」、「下痢あり」等の第２表現１１４の各データである。
項目データ２１０を選択してテキストデータのように、コピーアンドペースト（以下「コピペ」）して、複製することができる。現病歴症状情報表示部１５４に表示されている各項目データ２１０に対応する記事用語データ１８５は、上述したように、キーバリュー形式のデータであるが、コピペされたデータも同じキーバリュー形式を保持して複製される。
【０１０２】
本実施形態において、図１６のＳ記事エディタ部１５０に表示されている項目データ２１０を削除することができる。
図１０の所定のフォーマット（テンプレート１７６）において、第１のデータ項目および第２のデータ項目の表示領域８１、８２、８３を、おのおのに非表示にする操作を受け付けるための削除ボタン８７（図中「×」で示される）が、第１のデータ項目および第２のデータ項目の表示領域８１、８２、８３に含まれる領域にそれぞれ配置される。この例では、削除ボタン８７は各領域の右端に配置されている。
図１６では、テンプレート１７６で所定された削除ボタン８７が、削除操作ボタン２１２として各項目データ２１０の表示領域に表示されている。
図１６のＳ記事エディタ部１５０において、削除操作ボタン２１２の操作を受け付けたとき、操作された削除操作ボタン２１２に対応する第１の項目データ２１０または第２の項目データ２１０の表示領域を非表示にする。
【０１０３】
具体例としては、図１６のＳ記事エディタ部１５０に表示されている各項目データ２１０には、削除操作ボタン２１２（図中「×」で示される）が設けられている。これを操作することで、ユーザに確認後、その項目データ２１０の表示領域を非表示とすることができる。この構成によれば、項目データ２１０毎に削除操作ボタン２１２を設けているので、直感的で分かりやすいユーザインタフェースを提供でき、誤操作を防ぎ、編集作業の効率も向上できる。
【０１０４】
このとき、データベース２０の医療面接結果情報１８０から対応する医療用語データ１８４は削除されてもよいし、削除されなくてもよい。項目データ２１０の削除操作を受け付けた時に、ユーザにデータベース２０からの削除を行うか否か問い合わせる構成としてもよい。
【０１０５】
図１６に示すように、本実施形態の画面１２０において、Ｓ記事エディタ部１５０は、各症状の現病歴症状情報表示部１５４に、さらに、追記ボタン２１６を含む。
追記ボタン２１６は、ユーザ操作されると、図１７に示すエディタ画面２２０が展開される。
【０１０６】
図１０の所定のフォーマット（テンプレート１７６）において、症状別表示領域に表示されるデータを編集する操作を受け付けるための編集受付ボタン（追記ボタン８６）が、第１のデータ項目（患者の症状）の表示領域８２に対し、第１の方向に並ぶ領域（同じ行）に配置される。
図１６のＳ記事エディタ部１５０において、追記ボタン８６の操作を受け付けたとき、本実施形態の医療情報処理装置１００は、第１のデータ項目または第２のデータ項目に表示されるデータの編集用の編集画面（エディタ画面２２０）を表示する編集画面表示部（不図示）をさらに備える。
【０１０７】
追記ボタン２１６が、第１のデータ項目（患者の症状）と同じ行に並べて表示されるので、その症状に関する情報の追記操作の仕方が分かりやすく、操作性がよく、Ｓ記事作成の効率が向上する。
【０１０８】
また、テンプレート１７６は、各症状で共通であるが、Ｓ記事エディタ部１５０に表示される追記ボタン２１６は、第１のデータ項目に対応する第２のデータ項目のうち、さらに追記できる項目が存在する場合のみ、表示する構成としてもよい。出力部は、記事用語データ１８５とテンプレート１７６を参照し、テンプレート１７６に指定された項目のうち、記事用語データ１８５にその患者のデータが存在しない項目があるか否かを判定してもよい。そして、出力部は、患者のデータが存在しない項目がある場合に、追記ボタン２１６を表示し、存在しない項目がない場合には、追記ボタン２１６を表示しなくてもよい。
【０１０９】
また、症状毎に対応する第２のデータ項目を紐付けたテーブルを使用すれば、症状に応じて必要な第２データ項目について、過不足判定を行うこともできる。出力部は、患者の記事用語データ１８５とテーブルを参照し、患者のデータとテーブル内の第２のデータ項目との過不足を判定することができる。
【０１１０】
図１７は、本実施形態の現病歴に医師が追記を行うためのエディタ画面２２０の一例を示す図である。
エディタ画面２２０では、図１７（ａ）に示すように、追記を行いたい項目２２２を選択すると、その横に追記用のテキスト入力欄２２４が表示される。そして、テキスト入力欄２２４に、追記内容を入力し、エンターキーの押下や、項目２２２をクリックする等の確定操作により、図１７（ｂ）に示すように、追記した内容が項目データ２２６としてＳ記事に追加される。この例では、「誘因、憎悪因子、緩解因子」の項目に、「食事摂取によって軽減」という内容が追記されている。
【０１１１】
本実施形態において、編集画面表示部は、編集画面（エディタ画面２２０）を、所定のフォーマットに従い表示する。情報記憶部（データベース２０）にデータがあるデータ項目については、そのデータを第１の表示形式で編集画面（エディタ画面２２０）に表示し、情報記憶手部（データベース２０）にデータがないデータ項目については、第１の表示形式とは異なる第２の表示形式でそのデータ項目名を編集画面に表示する。
たとえば、図１７（ａ）において、発症の状況や部位等の第２のデータ項目は、第２の第２表現（記事用語データ１８５のボディ）がないので、文字をグレー色にしたり、背景がグレーで文字が白等にして表示してもよい（破線で示される第２の表示形式）。また、症状の程度や随伴症状等の第２のデータ項目は、第２の第２表現（記事用語データ１８５のボディ）があるので、第２の表示形式よりも強調された第１の表示形式で、たとえば、文字を黒色にしたり、背景を色付きにして表示してもよい（実線で示される）。
【０１１２】
ここで、データベース２０にデータがあるか否かは、患者の医療用語データ１８４または記事用語データ１８５を参照し、各データ項目に対応するタイプ（type）を有するデータを検索することで判定することができる。たとえば、第２のデータ項目の症状の部位は、タイプが"location"の医療用語データ１８４を検索すればよい。
【０１１３】
また、編集画面（エディタ画面２２０）において、複数の第２のデータ項目の中から編集する項目の選択操作を受け付ける操作受付領域が、各第２のデータ項目の項目名またはデータの表示領域に設定される。
編集画面表示部は、編集画面（エディタ画面２２０）の操作受付領域の選択操作を受け付けたとき、選択された第２のデータ項目のデータの編集操作を受け付けるためのテキスト入力欄を、第２のデータ項目の項目名の表示領域に並べて表示する。
【０１１４】
たとえば、図１７（ａ）において、第２のデータ項目の「誘因、憎悪因子、緩解因子」を示す表示領域２２２をユーザがクリックすると、テキスト入力欄２２４が展開される。そして、テキスト入力欄２２４に、テキスト入力操作を行い、確定操作（たとえば、エンターキー押下）により入力の確定を受け付ける。そして、図１７（ｂ）に示すように、入力されたデータが第１の表示形式で表示される。
【０１１５】
ここで、編集画面表示部は、編集操作が確定されたとき、テキスト入力欄２２４に入力されたデータを受け付け、対応する第２のデータ項目に対応付けて表示用データとして保持する。
出力部は、表示用データに基づいて、症状別表示領域（１５４ａ、ｂ、ｃ）内の表示内容を更新する。
また、エディタ画面２２０で編集されたデータで患者の情報を書き換えるか否かをユーザに問合せた上で、情報を更新するのが好ましい。たとえば、データベース２０の患者の医療用語データ１８４、記事用語データ１８５、およびＳ記事データ１９０の情報のいずれかについて、更新するか否かを問合せてから保存してよい。
【０１１６】
このように、本実施形態では、入力可能なデータ項目について、常にテキスト入力欄２２４を表示するのではなく、ユーザの入力の意志を受け付けた時だけ（ユーザの選択操作を受け付けた場合のみ）、テキスト入力欄２２４が表示されるので、エディタ画面２２０の情報量が必要以上に多くならず、すっきり見やすいエディタ画面２２０とすることができる。また、テキスト入力欄２２４が常に表示されている場合に比較して、意図しない誤入力を防止することもできる。
【０１１７】
このように、エディタ画面２２０では、所定のデータ項目に自由に追記することができる。
【０１１８】
この場合も、追記された記事用語データ１８５のキーバリュー形式のデータ構造は保持されている。たとえば、記事用語データ１８５のヘッダは、「食事摂取によって軽減」となり、医療面接結果情報１８０のボディは、「あり」、タイプは「factor」としてよい。
【０１１９】
さらに、図１８は、本実施形態のＳ記事エディタ部１５０で生成されたＳ記事データ１９０の印刷イメージを示すプレビュー画面２３０の一例を示す図である。この例では、図１６のＳ記事エディタ部１５０の１３イメージのプレビューが示されている。
【０１２０】
本実施形態のコンピュータプログラム７０は、図１５の医療情報処理装置２００を実現させるためのコンピュータ６０に、複数の第１表現が時系列データに対応付けて入力されたとき、第２表現を時系列データに基づいて、時系列に並び替えて出力する手順、を実行させるように記述されている。
【０１２１】
本実施形態のコンピュータプログラム７０は、コンピュータ６０で読み取り可能な記録媒体に記録されてもよい。記録媒体は特に限定されず、様々な形態のものが考えられる。また、プログラム７０は、記録媒体からコンピュータ６０のメモリ６４にロードされてもよいし、ネットワークを通じてコンピュータ６０にダウンロードされ、メモリ６４にロードされてもよい。
【０１２２】
コンピュータプログラム７０を記録する記録媒体は、非一時的な有形のコンピュータ６０が使用可能な媒体を含み、その媒体に、コンピュータ６０が読み取り可能なプログラムコードが埋め込まれる。
コンピュータプログラム７０が、コンピュータ６０上で実行されたとき、コンピュータ６０に、医療情報処理装置２００を実現する以下のデータ処理方法を実行させる。
【０１２３】
上述のような構成において、本実施の形態の医療情報処理装置２００による情報処理方法を以下に説明する。
本実施形態の医療情報処理装置２００の情報処理方法は、医療情報処理装置２００の情報処理方法であり、医療情報処理装置２００を実現するコンピュータ６０により実行される情報処理方法である。
本実施形態の情報処理方法は、医療情報処理装置２００が、複数の第１表現が時系列データに対応付けて入力されたとき、第２表現を時系列データに基づいて、時系列に並び替えて出力する、ことを含む。
【０１２４】
以上説明したように、本実施形態の医療情報処理装置２００において、編集部２０２により、複数の第１表現（問診結果データ１８２）が時系列データに対応付けて入力されたとき、第２表現（記事用語データ１８５）に基づいて、時系列に並び替えて出力されるので、医師が、患者の症状を確認する際に有用であり、かつＳ記事作成を効率よく行うことができる。
【０１２５】
以上、図面を参照して本発明の実施形態について述べたが、これらは本発明の例示であり、上記以外の様々な構成を採用することもできる。
たとえば、本実施形態の医療情報処理装置は、その最小構成として、患者向けの表現である第１表現を特定する特定情報と、医療従事者向けの表現である第２表現とを互いに対応付けて記憶する表現記憶部１０２と、第１表現を特定する特定情報が入力されたとき、当該第１表現に対応する第２表現を抽出して出力する表現変換部１０４と、を備えることができる。
【０１２６】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者（たとえば、患者）に関する情報を取得、利用する場合は、これを適法に行うものとする。
【０１２７】
以下、参考形態の例を付記する。
１．  医療情報処理装置が、
患者向けの表現である第１表現を特定する特定情報と、医療従事者向けの表現である第２表現とを互いに対応付けて表現記憶装置に記憶し、
前記第１表現を特定する特定情報が入力されたとき、当該第１表現に対応する第２表現を抽出して出力する情報処理方法。
２．  前記医療情報処理装置が、さらに、
複数の前記第１表現が時系列データに対応付けて入力されたとき、前記第２表現を前記時系列データに基づいて、時系列に並び替えて出力する、１．に記載の情報処理方法。
３．  前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記医療情報処理装置が、
前記第１の第１表現に対応する前記第１の第２表現と、前記第２の第１表現に対応する前記第２の第２表現を互いに対応付けて出力する、１．または２．に記載の情報処理方法。
４．  前記医療情報処理装置が、
出力された前記第２表現を患者の識別情報と関連付けて情報記憶装置に記憶し、
前記情報記憶装置に記憶された前記第２表現の中から、前記患者の症状を表現する前記第１の第２表現と、その前記症状を補足する情報を表現する前記第２の第２表現を抽出し、所定のフォーマットで出力する、３．に記載の情報処理方法。
５．  前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
前記医療情報処理装置が、
抽出された前記患者の症状を表現する前記第１の第２表現の少なくとも一つのデータを、前記所定のフォーマットに従い、前記第１のデータ項目の表示領域に出力し、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する、４．に記載の情報処理方法。
６．  前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記医療情報処理装置が、
前記情報記憶装置から、前記患者の前記第１のデータ項目に関連付けられている前記第２のデータ項目のデータを取得し、
前記所定のフォーマットに従い、取得された前記データを、前記症状別表示領域の対応する前記第２のデータ項目の前記表示領域に埋め込み、
前記患者の前記第１のデータ項目に関連する前記第２のデータ項目のうち、前記患者のデータのない前記第２のデータ項目については、その表示領域を非表示にした表示データを生成し、出力する、４．または５．に記載の情報処理方法。
７．  前記医療情報処理装置が、
前記情報記憶装置から前記患者の症状に対応する前記第１のデータ項目のデータが複数取得されたとき、
前記第１のデータ項目のデータ毎に、前記第１のデータ項目のデータと、前記第１のデータ項目に関連する複数の第２のデータ項目の少なくとも１つのデータとを、前記所定のフォーマットに従い、前記症状別表示領域の各データ項目に対応する前記表示領域にそれぞれ埋め込み表示データを生成し、出力し、
複数の前記症状別表示領域を前記第１の方向または前記第２の方向に並べて表示する、５．または６．に記載の情報処理方法。
８．  前記医療情報処理装置が、
複数の前記第２のデータ項目における、前記症状の発症の日時に関するデータ項目のデータに基づいて、複数の前記症状別表示領域を時系列に並び変えて出力する、５．から７．いずれか一つに記載の情報処理方法。
９．  前記所定のフォーマットにおいて、
複数の前記第２のデータ項目における、前記症状の発症の日時に関するデータ項目の表示領域は、前記症状別表示領域内の前記第２の方向の前記始点となる前記第１のデータ項目の表示領域の位置よりも前の位置に指定されるとともに、前記字下げせずに前記第１のデータ項目と前記第１の方向の同じ位置に指定される、５．から８．いずれか一つに記載の情報処理方法。
１０．  前記所定のフォーマットにおいて、前記第１のデータ項目および前記第２のデータ項目の前記表示領域を、おのおのに非表示にする操作を受け付けるための削除ボタンが、前記第１のデータ項目および前記第２のデータ項目の前記表示領域に含まれる領域にそれぞれ配置され、
前記医療情報処理装置が、前記削除ボタンの前記操作を受け付けたとき、操作された前記削除ボタンに対応する前記第１のデータ項目または前記第２のデータ項目の前記表示領域を非表示にする、５．から９．いずれか一つに記載の情報処理方法。
１１．  前記所定のフォーマットにおいて、前記症状別表示領域に表示されるデータを編集する操作を受け付けるための編集受付ボタンが、前記第１のデータ項目の前記表示領域に対し、前記第１の方向に並ぶ領域に配置され、
前記医療情報処理装置が、さらに、
前記編集受付ボタンの前記操作を受け付けたとき、前記第１のデータ項目または前記第２のデータ項目に表示されるデータの編集用の編集画面を表示する、５．から１０．いずれか一つに記載の情報処理方法。
１２．  前記医療情報処理装置が、
前記編集画面を、前記所定のフォーマットに従い表示し、
前記情報記憶装置にデータがあるデータ項目については、そのデータを第１の表示形式で前記編集画面に表示し、
前記情報記憶装置にデータがないデータ項目については、前記第１の表示形式とは異なる第２の表示形式でそのデータ項目名を前記編集画面に表示する、１１．に記載の情報処理方法。
１３．  前記第１の表示形式は、前記第２の表示形式より強調された表示形式である、１２．に記載の情報処理方法。
１４．  前記編集画面において、
複数の前記第２のデータ項目の中から編集する項目の選択操作を受け付ける操作受付領域が、各前記第２のデータ項目の項目名またはデータの表示領域に設定され、
前記医療情報処理装置が、
前記編集画面の前記操作受付領域の前記選択操作を受け付けたとき、選択された前記第２のデータ項目のデータの編集操作を受け付けるためのテキスト入力欄を、前記第２のデータ項目の前記項目名の表示領域に並べて表示する、１２．または１３．に記載の情報処理方法。
１５．  前記医療情報処理装置が、
前記編集操作が確定されたとき、前記テキスト入力欄に入力されたデータを受け付け、対応する前記第２のデータ項目に対応付けて表示用データとして保持し、
前記表示用データに基づいて、前記症状別表示領域内の表示内容を更新する、１４．に記載の情報処理方法。
１６．  前記患者の症状を補足する情報を表現する前記第２の第２表現は、前記症状毎に、発症の日時、発症の状況、部位、性質、程度、持続時間、随伴症状、誘因、憎悪因子、緩解因子、および現在までの経過の少なくともいずれか１つの項目に関する情報を示す、４．から１５．いずれか一つに記載の情報処理方法。
１７．  前記第２表現は、症状、既往歴、薬剤歴、社会歴、海外渡航歴、アレルギ情報の少なくとも１つの情報を示す、１．から１６．いずれか一つに記載の情報処理方法。
【０１２８】
１８．  コンピュータに、
患者向けの表現である第１表現を特定する特定情報と、医療従事者向けの表現である第２表現とを互いに対応付けて表現記憶装置に記憶する手順、
前記第１表現を特定する特定情報が入力されたとき、当該第１表現に対応する第２表現を抽出して出力する手順を実行させるためのプログラム。
１９．  複数の前記第１表現が時系列データに対応付けて入力されたとき、前記第２表現を前記時系列データに基づいて、時系列に並び替えて出力する手順をコンピュータに実行させるための、１８．に記載のプログラム。
２０．  前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記第１の第１表現に対応する前記第１の第２表現と、前記第２の第１表現に対応する前記第２の第２表現を互いに対応付けて出力する手順をコンピュータに実行させるための、１８．または１９．に記載のプログラム。
２１．  出力された前記第２表現を患者の識別情報と関連付けて情報記憶装置に記憶する手順、
前記情報記憶装置に記憶された前記第２表現の中から、前記患者の症状を表現する前記第１の第２表現と、その前記症状を補足する情報を表現する前記第２の第２表現を抽出し、所定のフォーマットで出力する手順をコンピュータに実行させるための、２０．に記載のプログラム。
２２．  前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
抽出された前記患者の症状を表現する前記第１の第２表現の少なくとも一つのデータを、前記所定のフォーマットに従い、前記第１のデータ項目の表示領域に出力する手順、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する手順をコンピュータに実行させるための、２１．に記載のプログラム。
２３．  前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記情報記憶装置から、前記患者の前記第１のデータ項目に関連付けられている前記第２のデータ項目のデータを取得し、前記所定のフォーマットに従い、取得された前記データを、前記症状別表示領域の対応する前記第２のデータ項目の前記表示領域に埋め込み、前記患者の前記第１のデータ項目に関連する前記第２のデータ項目のうち、前記患者のデータのない前記第２のデータ項目については、その表示領域を非表示にした表示データを生成し、出力する手順をコンピュータに実行させるための、２１．または２２．に記載のプログラム。
２４．  前記情報記憶装置から前記患者の症状に対応する前記第１のデータ項目のデータが複数取得されたとき、
前記第１のデータ項目のデータ毎に、前記第１のデータ項目のデータと、前記第１のデータ項目に関連する複数の第２のデータ項目の少なくとも１つのデータとを、前記所定のフォーマットに従い、前記症状別表示領域の各データ項目に対応する前記表示領域にそれぞれ埋め込み表示データを生成し、出力する手順、
複数の前記症状別表示領域を前記第１の方向または前記第２の方向に並べて表示する手順をコンピュータに実行させるための、２２．または２３．に記載のプログラム。
２５．  複数の前記第２のデータ項目における、前記症状の発症の日時に関するデータ項目のデータに基づいて、複数の前記症状別表示領域を時系列に並び変えて出力する手順をコンピュータに実行させるための、２２．から２４．いずれか一つに記載のプログラム。
２６．  前記所定のフォーマットにおいて、
複数の前記第２のデータ項目における、前記症状の発症の日時に関するデータ項目の表示領域は、前記症状別表示領域内の前記第２の方向の前記始点となる前記第１のデータ項目の表示領域の位置よりも前の位置に指定されるとともに、前記字下げせずに前記第１のデータ項目と前記第１の方向の同じ位置に指定される、２２．から２５．いずれか一つに記載のプログラム。
２７．  前記所定のフォーマットにおいて、前記第１のデータ項目および前記第２のデータ項目の前記表示領域を、おのおのに非表示にする操作を受け付けるための削除ボタンが、前記第１のデータ項目および前記第２のデータ項目の前記表示領域に含まれる領域にそれぞれ配置され、
前記削除ボタンの前記操作を受け付けたとき、操作された前記削除ボタンに対応する前記第１のデータ項目または前記第２のデータ項目の前記表示領域を非表示にする手順をコンピュータに実行させるための、２２．から２６．いずれか一つに記載のプログラム。
２８．  前記所定のフォーマットにおいて、前記症状別表示領域に表示されるデータを編集する操作を受け付けるための編集受付ボタンが、前記第１のデータ項目の前記表示領域に対し、前記第１の方向に並ぶ領域に配置され、
さらに、前記編集受付ボタンの前記操作を受け付けたとき、前記第１のデータ項目または前記第２のデータ項目に表示されるデータの編集用の編集画面を表示する手順をコンピュータに実行させるための、２２．から２７．いずれか一つに記載のプログラム。
２９．  前記編集画面を、前記所定のフォーマットに従い表示する手順、
前記情報記憶装置にデータがあるデータ項目については、そのデータを第１の表示形式で前記編集画面に表示する手順、
前記情報記憶装置にデータがないデータ項目については、前記第１の表示形式とは異なる第２の表示形式でそのデータ項目名を前記編集画面に表示する手順をコンピュータに実行させるための、２８．に記載のプログラム。
３０．  前記第１の表示形式は、前記第２の表示形式より強調された表示形式である、２９．に記載のプログラム。
３１．  前記編集画面において、
複数の前記第２のデータ項目の中から編集する項目の選択操作を受け付ける操作受付領域が、各前記第２のデータ項目の項目名またはデータの表示領域に設定され、
前記編集画面の前記操作受付領域の前記選択操作を受け付けたとき、選択された前記第２のデータ項目のデータの編集操作を受け付けるためのテキスト入力欄を、前記第２のデータ項目の前記項目名の表示領域に並べて表示する手順をコンピュータに実行させるための、２９．または３０．に記載のプログラム。
３２．  前記編集操作が確定されたとき、前記テキスト入力欄に入力されたデータを受け付け、対応する前記第２のデータ項目に対応付けて表示用データとして保持する手順、
前記表示用データに基づいて、前記症状別表示領域内の表示内容を更新する手順をコンピュータに実行させるための、３１．に記載のプログラム。
３３．  前記患者の症状を補足する情報を表現する前記第２の第２表現は、前記症状毎に、発症の日時、発症の状況、部位、性質、程度、持続時間、随伴症状、誘因、憎悪因子、緩解因子、および現在までの経過の少なくともいずれか１つの項目に関する情報を示す、２１．から３２．いずれか一つに記載のプログラム。
３４．  前記第２表現は、症状、既往歴、薬剤歴、社会歴、海外渡航歴、アレルギ情報の少なくとも１つの情報を示す、１８．から３３．いずれか一つに記載のプログラム。
３５．  患者向けの表現である第１表現を特定する特定情報と、医療従事者向けの表現である第２表現とを互いに対応付けて記憶する表現記憶手段と、
前記第１表現を特定する特定情報が入力されたとき、当該第１表現に対応する第２表現を抽出して出力する表現変換手段と、を備える医療情報処理装置。
３６．  複数の前記第１表現が時系列データに対応付けて入力されたとき、前記第２表現を前記時系列データに基づいて、時系列に並び替えて出力する編集手段をさらに備える３５．に記載の医療情報処理装置。
３７．  前記第１表現は、患者の症状を表現する第１の第１表現と、前記患者の症状を補足する情報を表現する第２の第１表現を含み、
前記第２表現は、患者の症状を表現する第１の第２表現と、前記患者の症状を補足する情報を表現する第２の第２表現を含み、
前記表現変換手段は、前記第１の第１表現に対応する前記第１の第２表現と、前記第２の第１表現に対応する前記第２の第２表現を互いに対応付けて出力する３５．または３６．に記載の医療情報処理装置。
３８．  前記表現変換手段により出力された前記第２表現を患者の識別情報と関連付けて記憶する情報記憶手段と、
前記情報記憶手段に記憶された前記第２表現の中から、前記患者の症状を表現する前記第１の第２表現と、その前記症状を補足する情報を表現する前記第２の第２表現を抽出し、所定のフォーマットで出力する出力手段と、を備える、３７．に記載の医療情報処理装置。
３９．  前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記所定のフォーマットの各前記症状別表示領域において、
前記第１のデータ項目および前記第２のデータ項目の各前記データは、各前記表示領域に第１の方向に表示され、
複数の前記第２のデータ項目の前記表示領域の位置は、前記第１のデータ項目の前記表示領域の位置に対してそれぞれ前記第１の方向に同じ所定の幅で字下げして、前記第１のデータ項目の前記表示領域を始点として、前記第１の方向とは異なる第２の方向に所定の順序で並んで表示されるように指定され、
前記出力手段は、
抽出された前記患者の症状を表現する前記第１の第２表現の少なくとも一つのデータを、前記所定のフォーマットに従い、前記第１のデータ項目の表示領域に出力し、
前記患者の症状を補足する情報を表現する前記第２の第２表現の少なくとも一つのデータを、前記所定のフォーマットに従い、対応する前記第２のデータ項目の表示領域に埋め込み表示データを生成し、出力する、
３８．に記載の医療情報処理装置。
４０．  前記所定のフォーマットには、
前記患者の症状を表現する前記第１の第２表現のデータを表示する第１のデータ項目の表示領域と、前記第１のデータ項目に関連付けられる、前記症状を補足する情報を表現する複数の前記第２の第２表現のデータをそれぞれ表示する複数の第２のデータ項目の表示領域と、のおのおのの表示位置が、前記患者の前記症状毎に表示される症状別表示領域の書式として指定されており、
前記出力手段は、前記情報記憶手段から、前記患者の前記第１のデータ項目に関連付けられている前記第２のデータ項目のデータを取得し、前記所定のフォーマットに従い、取得された前記データを、前記症状別表示領域の対応する前記第２のデータ項目の前記表示領域に埋め込み、前記患者の前記第１のデータ項目に関連する前記第２のデータ項目のうち、前記患者のデータのない前記第２のデータ項目については、その表示領域を非表示にした表示データを生成し、出力する、３８．または３９．に記載の医療情報処理装置。
４１．  前記出力手段は、
前記情報記憶手段から前記患者の症状に対応する前記第１のデータ項目のデータが複数取得されたとき、
前記第１のデータ項目のデータ毎に、前記第１のデータ項目のデータと、前記第１のデータ項目に関連する複数の第２のデータ項目の少なくとも１つのデータとを、前記所定のフォーマットに従い、前記症状別表示領域の各データ項目に対応する前記表示領域にそれぞれ埋め込み表示データを生成し、出力し、
複数の前記症状別表示領域を前記第１の方向または前記第２の方向に並べて表示する、３９．または４０．に記載の医療情報処理装置。
４２．  複数の前記第１表現が時系列データに対応付けて入力されたとき、前記第２表現を前記時系列データに基づいて、時系列に並び替えて出力する編集手段をさらに備え、
前記編集手段は、
複数の前記第２のデータ項目における、前記症状の発症の日時に関するデータ項目のデータに基づいて、複数の前記症状別表示領域を時系列に並び変えて出力する、３９．から４１．いずれか一つに記載の医療情報処理装置。
４３．  前記所定のフォーマットにおいて、
複数の前記第２のデータ項目における、前記症状の発症の日時に関するデータ項目の表示領域は、前記症状別表示領域内の前記第２の方向の前記始点となる前記第１のデータ項目の表示領域の位置よりも前の位置に指定されるとともに、前記字下げせずに前記第１のデータ項目と前記第１の方向の同じ位置に指定される、３９．から４２．いずれか一つに記載の医療情報処理装置。
４４．  前記所定のフォーマットにおいて、前記第１のデータ項目および前記第２のデータ項目の前記表示領域を、おのおのに非表示にする操作を受け付けるための削除ボタンが、前記第１のデータ項目および前記第２のデータ項目の前記表示領域に含まれる領域にそれぞれ配置され、
前記削除ボタンの前記操作を受け付けたとき、操作された前記削除ボタンに対応する前記第１のデータ項目または前記第２のデータ項目の前記表示領域を非表示にする、３９．から４３．いずれか一つに記載の医療情報処理装置。
４５．  前記所定のフォーマットにおいて、前記症状別表示領域に表示されるデータを編集する操作を受け付けるための編集受付ボタンが、前記第１のデータ項目の前記表示領域に対し、前記第１の方向に並ぶ領域に配置され、
前記編集受付ボタンの前記操作を受け付けたとき、前記第１のデータ項目または前記第２のデータ項目に表示されるデータの編集用の編集画面を表示する編集画面表示手段をさらに備える、３９．から４４．いずれか一つに記載の医療情報処理装置。
４６．  前記編集画面表示手段は、
前記編集画面を、前記所定のフォーマットに従い表示し、
前記情報記憶手段にデータがあるデータ項目については、そのデータを第１の表示形式で前記編集画面に表示し、
前記情報記憶手段にデータがないデータ項目については、前記第１の表示形式とは異なる第２の表示形式でそのデータ項目名を前記編集画面に表示する、４５．に記載の医療情報処理装置。
４７．  前記第１の表示形式は、前記第２の表示形式より強調された表示形式である、４６．に記載の医療情報処理装置。
４８．  前記編集画面において、
複数の前記第２のデータ項目の中から編集する項目の選択操作を受け付ける操作受付領域が、各前記第２のデータ項目の項目名またはデータの表示領域に設定され、
前記編集画面表示手段は、
前記編集画面の前記操作受付領域の前記選択操作を受け付けたとき、選択された前記第２のデータ項目のデータの編集操作を受け付けるためのテキスト入力欄を、前記第２のデータ項目の前記項目名の表示領域に並べて表示する、４６．または４７．に記載の医療情報処理装置。
４９．  前記編集画面表示手段は、
前記編集操作が確定されたとき、前記テキスト入力欄に入力されたデータを受け付け、対応する前記第２のデータ項目に対応付けて表示用データとして保持し、
前記出力手段は、
前記表示用データに基づいて、前記症状別表示領域内の表示内容を更新する、
４８．に記載の医療情報処理装置。
５０．  前記患者の症状を補足する情報を表現する前記第２の第２表現は、前記症状毎に、発症の日時、発症の状況、部位、性質、程度、持続時間、随伴症状、誘因、憎悪因子、緩解因子、および現在までの経過の少なくともいずれか１つの項目に関する情報を示す、３８．から４９．いずれか一つに記載の医療情報処理装置。
５１．  前記第２表現は、症状、既往歴、薬剤歴、社会歴、海外渡航歴、アレルギ情報の少なくとも１つの情報を示す３５．から５０．いずれか一つに記載の医療情報処理装置。
【符号の説明】
【０１２９】
１  医療システム
３  ネットワーク
１０  サーバ装置
２０  データベース
３０  ユーザ端末
３０ａ  スマートフォン
３０ｂ  パーソナルコンピュータ
６０  コンピュータ
６２  ＣＰＵ
６４  メモリ
６６  ストレージ
６９  バス
７０  プログラム
１００  医療情報処理装置
１０２  表現記憶部
１０４  表現変換部
１１０  特定情報
１１２  第１表現
１１４  第２表現
１２０  画面
１３０  患者情報表示部
１４０  問診データ表示部
１５０  Ｓ記事エディタ部
１５２  主訴症状表示部
１５４（１５４ａ、１５４ｂ、１５４ｃ）  現病歴症状情報表示部
１５６  保存ボタン
１６０  医療面接画面
１６２  質問
１６４  選択肢
１６６  チェックボックス
１７０  第１対応テーブル
１７２  問診データ
１７４  医療用語データ
１７５  記事用語データ
１７６  テンプレート
８０、８１、８２、８３  表示領域
８４  インデント
８５  問診参照ボタン
８６  追記ボタン
８７  削除ボタン
１７９  第２対応テーブル
１８０  医療面接結果情報
１８２  問診結果データ
１８４  医療用語データ
１８５  記事用語データ
１８６  既往歴
１９０  Ｓ記事データ
１９２、１９３、１９４、１９５  出力位置
２００  医療情報処理装置
２０２  編集部
２１０  項目データ
２１２  削除操作ボタン
２１６  追記ボタン
２２０  エディタ画面
２２２  項目
２２４  テキスト入力欄
２２６  項目データ
２３０  プレビュー画面
【図１】
0006690224.tif 000002
【図２】
0006690224.tif 000003
【図３】
0006690224.tif 000004
【図４】
0006690224.tif 000005
【図５】
0006690224.tif 000006
【図６】
0006690224.tif 000007
【図７】
0006690224.tif 000008
【図８】
0006690224.tif 000009
【図９】
0006690224.tif 000010
【図１０】
0006690224.tif 000011
【図１１】
0006690224.tif 000012
【図１２】
0006690224.tif 000013
【図１３】
0006690224.tif 000014
【図１４】
0006690224.tif 000015
【図１５】
0006690224.tif 000016
【図１６】
0006690224.tif 000017
【図１７】
0006690224.tif 000018
【図１８】
0006690224.tif 000019
【図１９】
0006690224.tif 000020